(57)【要約】【課題】起動時の応答を早めることができる吸収ヒートポンプを提供すること。【解決手段】吸収ヒートポンプ１は、吸収器１０と、希溶液Ｓｗを第１の熱源流体ｈ１で加熱し濃縮する再生器３０と、濃溶液ライン３５と、凝縮器４０と、冷媒液Ｖｆを第２の熱源流体ｈ２で加熱し蒸発させる蒸発器２０と、冷媒液ライン４５と、温度が高い高温流体Ｆを外部から導入して流体のエンタルピを増大させるエンタルピ増大手段とを備える。エンタルピ増大手段は、第１の熱源流体ｈ１、第２の熱源流体ｈ２、吸収器１０内の吸収溶液Ｓａ、Ｓｗ、濃溶液ライン３５を流れる濃溶液Ｓａ、冷媒液ライン４５を流れる冷媒液Ｖｆの少なくとも１つの流体のエンタルピを増大させることで、吸収溶液及び／又は冷媒の保有熱量を増大させ、吸収ヒートポンプ１の応答を早める。【選択図】図１
2010255904.tif 000002
【特許請求の範囲】
【請求項１】
内部に被加熱媒体を流す被加熱媒体管を有し、前記被加熱媒体管の外側に存在する吸収溶液が冷媒蒸気を吸収して濃度が低下した希溶液となる際に発生する吸収熱で前記被加熱媒体管内を流れる被加熱媒体を加熱する吸収器と；
内部に第１の熱源流体を流す第１の熱源流体管を有し、前記希溶液を導入し前記第１の熱源流体管内の第１の熱源流体で加熱して、導入した前記希溶液から冷媒を蒸発させて濃度が上昇した濃溶液を生成する再生器と；
前記濃溶液を前記再生器から前記吸収器に導く濃溶液ラインと；
前記再生器で発生した冷媒蒸気を導入し冷却し凝縮させる凝縮器と；
内部に第２の熱源流体を流す第２の熱源流体管を有し、冷媒液を導入し前記第２の熱源流体管内の第２の熱源流体で加熱して、導入した前記冷媒液を蒸発させて前記吸収器に供給する冷媒蒸気を生成する蒸発器と；
前記冷媒液を前記凝縮器から前記蒸発器に導く冷媒液ラインと；
前記再生器に導入される第１の熱源流体、前記蒸発器に導入される第２の熱源流体、前記吸収器内の吸収溶液、前記濃溶液ラインを流れる濃溶液、及び前記冷媒液ラインを流れる冷媒液のいずれか１つの流体よりも温度が高い高温流体を外部から導入し、前記再生器に導入される第１の熱源流体、前記蒸発器に導入される第２の熱源流体、前記吸収器内の吸収溶液、前記濃溶液ラインを流れる濃溶液、及び前記冷媒液ラインを流れる冷媒液のうち前記高温流体よりも温度が低い少なくとも１つの流体のエンタルピを増大させるエンタルピ増大手段とを備える；
吸収ヒートポンプ。
【請求項２】
前記エンタルピ増大手段が、前記高温流体の熱を前記吸収器内の吸収溶液に直接的又は間接的に与える吸収溶液受熱手段を含んで構成され；
前記吸収器の気相部と前記凝縮器とを連通する連通管であって、流路を遮断可能な連通遮断弁が配設された連通管をさらに備え；
前記吸収器内の吸収溶液のエンタルピを増大させたときに、前記連通遮断弁を開け、前記吸収器内の吸収溶液から冷媒を蒸発させて該蒸発した冷媒を前記凝縮器に導く；
請求項１に記載の吸収ヒートポンプ。
【請求項３】
前記エンタルピ増大手段が、前記高温流体の熱を前記吸収器内の吸収溶液に直接的又は間接的に与える吸収溶液受熱手段を含んで構成され；
前記凝縮器が、導入した前記冷媒蒸気から熱を奪う冷却水を流す冷却水管を内部に有し；
前記冷却水管に導入される冷却水の一部を前記第２の熱源流体管に導く冷却水分岐管であって、流路を遮断可能な分岐遮断弁が配設された冷却水分岐管と；
前記第２の熱源流体管への第２の熱源流体の導入を遮断する熱源流体遮断弁とをさらに備え；
前記吸収器内の吸収溶液のエンタルピを増大させたときに、前記分岐遮断弁を開けて前記熱源流体遮断弁を閉じることにより前記冷却水を前記第２の熱源流体管に導入させ、前記吸収器内の吸収溶液から冷媒を蒸発させて該蒸発した冷媒を前記蒸発器で凝縮させる；
請求項１に記載の吸収ヒートポンプ。
【発明の詳細な説明】
【技術分野】
【０００１】
本発明は吸収ヒートポンプに関し、特に起動時の応答を早めた吸収ヒートポンプに関する。
【背景技術】
【０００２】
蒸発器で発生させた冷媒蒸気を吸収器に導き、吸収器において冷媒蒸気を吸収溶液に吸収させる際に発生する吸収熱で被加熱媒体を加熱する吸収ヒートポンプは公知である。この吸収ヒートポンプでは、吸収器で冷媒蒸気を吸収して濃度が低下した吸収溶液を加熱し濃度的に再生する再生器と、再生器で加熱蒸発させた冷媒蒸気を凝縮させて後に蒸発器に送られる凝縮液とする凝縮器とが、吸収器及び蒸発器と協働して吸収ヒートポンプサイクルを作動させている。このような吸収ヒートポンプにおいて、蒸発器で冷媒の蒸気を発生させる熱源及び／又は再生器で吸収溶液を再生させる熱源として、コージェネレーションシステム等から排出される温水（排熱）を利用し、当該温水よりも温度が高い被加熱媒体の蒸気を生成する吸収ヒートポンプがある（例えば、特許文献１参照。）。
【先行技術文献】
【特許文献】
【０００３】
【特許文献１】特開２００６−１３８６１４号公報（図２等）
【発明の概要】
【発明が解決しようとする課題】
【０００４】
しかしながら、上述の吸収ヒートポンプは熱駆動サイクルであるため、起動から定常状態に達するまでに相当の時間を要する。特に、駆動源である排熱量が少ない場合は、応答の遅れが顕著となる。
【０００５】
本発明は上述の課題に鑑み、起動時の応答を早めることができる吸収ヒートポンプを提供することを目的とする。
【課題を解決するための手段】
【０００６】
上記目的を達成するために、本発明の第１の態様に係る吸収ヒートポンプは、例えば図１に示すように、内部に被加熱媒体Ｗを流す被加熱媒体管１２を有し、被加熱媒体管１２の外側に存在する吸収溶液Ｓａが冷媒蒸気Ｖｅを吸収して濃度が低下した希溶液Ｓｗとなる際に発生する吸収熱で被加熱媒体管１２内を流れる被加熱媒体Ｗを加熱する吸収器１０と；内部に第１の熱源流体ｈ１を流す第１の熱源流体管３１を有し、希溶液Ｓｗを導入し第１の熱源流体管３１内の第１の熱源流体ｈ１で加熱して、導入した希溶液Ｓｗから冷媒Ｖｇを蒸発させて濃度が上昇した濃溶液Ｓａを生成する再生器３０と；濃溶液Ｓａを再生器３０から吸収器１０に導く濃溶液ライン３５と；再生器３０で発生した冷媒蒸気Ｖｇを導入し冷却し凝縮させる凝縮器４０と；内部に第２の熱源流体ｈ２を流す第２の熱源流体管２１を有し、冷媒液Ｖｆを導入し第２の熱源流体管２１内の第２の熱源流体ｈ２で加熱して、導入した冷媒液Ｖｆを蒸発させて吸収器１０に供給する冷媒蒸気Ｖｅを生成する蒸発器２０と；冷媒液Ｖｆを凝縮器４０から蒸発器２０に導く冷媒液ライン４５と；再生器３０に導入される第１の熱源流体ｈ１、蒸発器２０に導入される第２の熱源流体ｈ２、吸収器１０内の吸収溶液Ｓａ、Ｓｗ、濃溶液ライン３５を流れる濃溶液Ｓａ、及び冷媒液ライン４５を流れる冷媒液Ｖｆのいずれか１つの流体よりも温度が高い高温流体Ｆを外部から導入し、再生器３０に導入される第１の熱源流体ｈ１、蒸発器２０に導入される第２の熱源流体ｈ２、吸収器１０内の吸収溶液Ｓａ、Ｓｗ、濃溶液ライン３５を流れる濃溶液Ｓａ、及び冷媒液ライン４５を流れる冷媒液Ｖｆのうち高温流体Ｆよりも温度が低い少なくとも１つの流体（ｈ２）のエンタルピを増大させるエンタルピ増大手段（６１）とを備える。
【０００７】
このように構成すると、吸収溶液及び／又は冷媒の保有熱量を増大させることができ、起動時の吸収ヒートポンプの応答を早めることができる。また、吸収溶液及び冷媒が定常時のサイクルを行っている中で流体のエンタルピを増大させる場合は、運転中における負荷変動時の応答を早めることもできる。
【０００８】
また、本発明の第２の態様に係る吸収ヒートポンプは、例えば図４に示すように、上記本発明の第１の態様に係る吸収ヒートポンプにおいて、前記エンタルピ増大手段が、高温流体Ｆの熱を吸収器１０内の吸収溶液に直接的又は間接的に与える吸収溶液受熱手段７１を含んで構成され；吸収器１０の気相部と凝縮器４０とを連通する連通管７２であって、流路を遮断可能な連通遮断弁７２ｖが配設された連通管７２をさらに備え；吸収器１０内の吸収溶液のエンタルピを増大させたときに、連通遮断弁７２ｖを開け、吸収器１０内の吸収溶液から冷媒を蒸発させて該蒸発した冷媒を凝縮器４０に導く。
【０００９】
このように構成すると、吸収器を再生器と同様に機能させることができ、吸収ヒートポンプサイクル内の吸収溶液の濃縮を早め、起動時の吸収ヒートポンプの応答を早めることができる。
【００１０】
また、本発明の第３の態様に係る吸収ヒートポンプは、例えば図５に示すように、上記本発明の第１の態様に係る吸収ヒートポンプにおいて、前記エンタルピ増大手段が、高温流体Ｆの熱を吸収器１０内の吸収溶液に直接的又は間接的に与える吸収溶液受熱手段８９、８４を含んで構成され；凝縮器４０が、導入した冷媒蒸気Ｖｇから熱を奪う冷却水ｃを流す冷却水管４１を内部に有し；冷却水管４１に導入される冷却水ｃの一部を第２の熱源流体管２１に導く冷却水分岐管５４であって、流路を遮断可能な分岐遮断弁５４ｖが配設された冷却水分岐管５４と；第２の熱源流体管２１への第２の熱源流体ｈの導入を遮断する熱源流体遮断弁２１ｖとをさらに備え；吸収器１０内の吸収溶液のエンタルピを増大させたときに、分岐遮断弁５４ｖを開けて熱源流体遮断弁２１ｖを閉じることにより冷却水ｃを第２の熱源流体管２１に導入させ、吸収器１０内の吸収溶液から冷媒を蒸発させて蒸発した冷媒を蒸発器２０で凝縮させる。
【００１１】
このように構成すると、吸収器を再生器的に、蒸発器を凝縮器的に機能させることができ、吸収ヒートポンプサイクル内の吸収溶液の濃縮を早め、起動時の吸収ヒートポンプの応答を早めることができる。
【発明の効果】
【００１２】
本発明によれば、吸収溶液及び／又は冷媒の保有熱量を増大させることができ、吸収ヒートポンプの応答を早めることができる。
【図面の簡単な説明】
【００１３】
【図１】本発明の第１の実施の形態に係る吸収ヒートポンプの模式的系統図である。
【図２】本発明の第１の実施の形態に係る吸収ヒートポンプのデューリング線図である。
【図３】本発明の第１の実施の形態の変形例に係る吸収ヒートポンプの模式的系統図である。
【図４】本発明の第２の実施の形態に係る吸収ヒートポンプの模式的系統図である。
【図５】本発明の第２の実施の形態の変形例に係る吸収ヒートポンプの模式的系統図である。
【発明を実施するための形態】
【００１４】
以下、図面を参照して本発明の実施の形態について説明する。なお、各図において互いに同一又は相当する部材には同一あるいは類似の符号を付し、重複した説明は省略する。
【００１５】
まず図１を参照して、本発明の第１の実施の形態に係る吸収ヒートポンプ１を説明する。図１は、吸収ヒートポンプ１の模式的系統図である。吸収ヒートポンプ１は、吸収溶液Ｓ（Ｓａ、Ｓｗ）と冷媒Ｖ（Ｖｅ、Ｖｇ、Ｖｆ）との吸収ヒートポンプサイクルが行われる主要機器を構成する吸収器１０、蒸発器２０、再生器３０、及び凝縮器４０を備えている。他の構成部材は適宜後述する。
【００１６】
本明細書においては、吸収溶液に関し、ヒートポンプサイクル上における区別を容易にするために、性状やヒートポンプサイクル上の位置に応じて「希溶液Ｓｗ」や「濃溶液Ｓａ」等と呼称するが、性状等を不問にするときは総称して「吸収溶液Ｓ」ということとする。同様に、冷媒に関し、ヒートポンプサイクル上における区別を容易にするために、性状やヒートポンプサイクル上の位置に応じて「蒸発器冷媒蒸気Ｖｅ」、「再生器冷媒蒸気Ｖｇ」、「冷媒液Ｖｆ」等と呼称するが、性状等を不問にするときは総称して「冷媒Ｖ」ということとする。本実施の形態では、吸収溶液Ｓ（吸収剤と冷媒Ｖとの混合物）としてＬｉＢｒ水溶液が用いられており、冷媒Ｖとして水（Ｈ２Ｏ）が用いられている。
【００１７】
吸収器１０は、被加熱媒体Ｗの流路を構成する被加熱媒体管としてのチューブ１２と、濃溶液Ｓａを散布する濃溶液散布ノズル１３とを内部に有している。吸収器１０は、濃溶液散布ノズル１３から濃溶液Ｓａが散布され、濃溶液Ｓａが蒸発器冷媒蒸気Ｖｅを吸収する際に吸収熱を発生させる。この吸収熱を、チューブ１２を流れる被加熱媒体Ｗが受熱して、被加熱媒体Ｗが加熱されるように構成されている。蒸発器２０は、第２の熱源流体としての熱源温水ｈ２の流路を構成する第２の熱源流体管としての熱源管２１と、冷媒液Ｖｆを熱源管２１に向けて散布する冷媒液散布ノズル２２とを内部に有している。蒸発器２０は、冷媒液散布ノズル２２から冷媒液Ｖｆが散布され、散布された冷媒液Ｖｆが熱源管２１内を流れる熱源温水ｈ２の熱で蒸発して蒸発器冷媒蒸気Ｖｅが発生するように構成されている。吸収器１０と蒸発器２０とは、相互に連通するように１つの缶胴内に形成されている。吸収器１０と蒸発器２０とが連通することにより、蒸発器２０で発生した蒸発器冷媒蒸気Ｖｅを吸収器１０に供給することができるように構成されている。
【００１８】
再生器３０は、希溶液Ｓｗを加熱する第１の熱源流体としての熱源温水ｈ１を内部に流す第１の熱源流体管としての熱源管３１と、希溶液Ｓｗを散布する希溶液散布ノズル３２とを有している。熱源管３１内を流れる熱源温水ｈ１は、熱源管２１内を流れる熱源温水ｈ２と同じ流体であっても異なる流体であってもよい。換言すれば、熱源温水ｈ１と熱源温水ｈ２とは、１つの源から導出された熱源温水が分岐して並列な流れとなったものでもよく、１つの源から導出された熱源温水が熱源温水ｈ２として熱源管２１を流れた後に熱源温水ｈ１として熱源管３１を流れる（又はこの逆に流れる）ように直列に流れるものでもよく、あるいは異なる源から導出されたものであってもよい。本明細書では、説明の便宜上、熱源管２１を流れるものを熱源温水ｈ２と、熱源管３１を流れるものを熱源温水ｈ１と概ね区別する一方、区別しない場合は単に「熱源温水ｈ」と総称する。再生器３０は、希溶液散布ノズル３２から散布された希溶液Ｓｗが熱源温水ｈ１に加熱されることにより、希溶液Ｓｗから冷媒Ｖが蒸発して濃度が上昇した濃溶液Ｓａが生成されるように構成されている。希溶液Ｓｗから蒸発した冷媒Ｖは再生器冷媒蒸気Ｖｇとして凝縮器４０に移動するように構成されている。凝縮器４０は、冷却媒体としての冷却水ｃが流れる冷却水管４１を有している。凝縮器４０は、再生器３０で発生した再生器冷媒蒸気Ｖｇを導入し、これを冷却水ｃで冷却して凝縮させるように構成されている。再生器３０と凝縮器４０とは、相互に連通するように１つの缶胴内に形成されている。再生器３０と凝縮器４０とが連通することにより、再生器３０で発生した再生器冷媒蒸気Ｖｇを凝縮器４０に供給することができるように構成されている。また、吸収器１０及び蒸発器２０が再生器３０及び凝縮器４０よりも高所に配設されており、位置ヘッドで吸収器１０内の吸収溶液Ｓを再生器３０へ及び蒸発器２０内の冷媒液Ｖｆを凝縮器４０へそれぞれ搬送可能に構成されている。
【００１９】
再生器３０の濃溶液Ｓａが貯留される部分と吸収器１０の濃溶液散布ノズル１３とは、濃溶液Ｓａを圧送する溶液ポンプ３５ｐが配設された濃溶液ラインとしての濃溶液管３５で接続されている。吸収器１０の希溶液Ｓｗが貯留される部分と希溶液散布ノズル３２とは、希溶液Ｓｗを流す希溶液管３６で接続されている。濃溶液管３５及び希溶液管３６には、濃溶液Ｓａと希溶液Ｓｗとの間で熱交換を行わせる溶液熱交換器３８が配設されている。凝縮器４０の冷媒液Ｖｆが貯留される部分と蒸発器２０の冷媒液散布ノズル２２とは、冷媒液Ｖｆを圧送する冷媒ポンプ４６が配設された冷媒液ラインとしての冷媒液管４５で接続されている。蒸発器２０の冷媒液Ｖｆが蒸発せずに貯留される部分と凝縮器４０とは、冷媒液散布ノズル２２から散布されて蒸発しなかった冷媒液Ｖｆを凝縮器４０に戻す冷媒液管２５で接続されている。冷媒液管２５及び冷媒液管４５には、それぞれの管２５、４５を流れる冷媒液Ｖｆ同士で熱交換を行わせる冷媒熱交換器４８が配設されている。蒸発器２０内を流れた熱源温水ｈ２が導出される熱源管２１の導出口と、再生器３０へ熱源温水１が導入される熱源管３１の導入口とは、熱源温水ｈを流す熱源温水連絡管５１で接続されている。本実施の形態では、蒸発器２０内を流れた熱源温水ｈ２が再生器３０へ供給される構成になっている。
【００２０】
吸収ヒートポンプ１は、吸収器１０のチューブ１２を流れて加熱された被加熱媒体Ｗを導入し、被加熱媒体蒸気Ｗｖと被加熱媒体液Ｗｑとを分離する気液分離器８０をさらに備えている。被加熱媒体Ｗは、吸収器１０に供給される液体の被加熱媒体Ｗである被加熱媒体液Ｗｑ、気体の被加熱媒体である被加熱媒体蒸気Ｗｖ、液体と気体とが混合した状態の被加熱媒体である混合被加熱媒体Ｗｍ、吸収ヒートポンプ１外から補充された被加熱媒体である補給液体としての補給水Ｗｓの総称である。本実施の形態では、被加熱媒体Ｗとして水（Ｈ２Ｏ）が用いられている。
【００２１】
気液分離器８０と吸収器１０とは、被加熱媒体液Ｗｑをチューブ１２に導く被加熱媒体液管８２及び加熱された被加熱媒体Ｗを気液分離器８０に導く加熱後被加熱媒体管８４で接続されている。被加熱媒体液管８２には、被加熱媒体液Ｗｑをチューブ１２に向けて圧送する被加熱媒体ポンプとしての液体供給ポンプ８３が配設されている。また、気液分離器８０には、分離された被加熱媒体蒸気Ｗｖを吸収ヒートポンプ１の外に導く被加熱媒体蒸気管８９が接続されている。また、主に蒸気として吸収ヒートポンプ１の外に供給された分の被加熱媒体Ｗを補うための補給水Ｗｓを吸収ヒートポンプ１の外から導入する補給水管８５が設けられている。補給水管８５は、液体供給ポンプ８３より上流側の被加熱媒体液管８２に接続されている。補給水管８５には、被加熱媒体液管８２に向けて補給水Ｗｓを圧送する補給水ポンプ８６が配設されている。
【００２２】
被加熱媒体蒸気管８９は、蒸気ヘッダ９１に接続されている。これにより、気液分離器８０から導出された被加熱媒体蒸気Ｗｖを蒸気ヘッダ９１に供給することができるように構成されている。また、蒸気ヘッダ９１は、吸収ヒートポンプ１の外に設けられている外部ボイラ９３と外部蒸気管９４を介して接続されており、外部ボイラ９３で発生した蒸気の供給を受けることができるように構成されている。また、蒸気ヘッダ９１には、吸収ヒートポンプ１及び外部ボイラ９３から供給された蒸気をユースポイント（蒸気が利用される場所）に供給する蒸気供給管９６が接続されている。蒸気供給管９６は、ユースポイントの状況に応じて複数本が蒸気ヘッダ９１に接続されていてもよい。さらに蒸気ヘッダ９１には、蒸気ヘッダ９１から導出された高温流体としての外部蒸気Ｆを蒸発器２０の熱源管２１に導く蒸気アシスト管６１が接続されている。吸収ヒートポンプ１は、蒸気アシスト管６１を介して蒸気ヘッダ９１の外部蒸気Ｆを熱源温水ｈ２に混合させることで、熱源温水ｈ２のエンタルピを増大させると共に熱源温水ｈ２の温度を上昇させることができるように構成されている。このことから分かるように、蒸気アシスト管６１はエンタルピ増大手段を構成する。蒸気アシスト管６１には、内部を通過する蒸気の流れを遮断するアシスト遮断弁６１ｖが挿入配置されている。
【００２３】
吸収ヒートポンプ１は制御装置５０をさらに備えている。制御装置５０は、吸収ヒートポンプ１の運転のための各ポンプ３５ｐ、４６、８３、８６や弁類を制御する機器である。また、制御装置５０は、アシスト遮断弁６１ｖと信号ケーブルで電気的に接続されており、アシスト遮断弁６１ｖの開閉を制御することができるように構成されている。吸収ヒートポンプ１は、運転中における負荷変動時の熱源温水ｈ２への加熱を円滑に行う観点から、図１に示すように熱源管２１に流入する熱源温水ｈ２の温度を検出する温度センサ５８を備えていることが好ましい。温度センサ５８は、蒸気アシスト管６１の接続部よりも下流側に設けられており、制御装置５０と信号ケーブルで電気的に接続されて検出した熱源温水ｈ２の温度を信号として制御装置５０に送信できるように構成されている。
【００２４】
引き続き図２のデューリング線図を図１と併せて参照して、吸収ヒートポンプ１の作用を説明する。図２のデューリング線図は、縦軸に冷媒Ｖ（本実施の形態では水）の露点温度を、横軸に溶液Ｓ（本実施の形態ではＬｉＢｒ水溶液）の温度をとっている。右上がりの線は溶液Ｓの等濃度線を表し、右に行くほど高濃度、左に行くほど低濃度となり、図中の露点温度０℃を通る右上がりの線は溶液濃度０％（すなわち冷媒のみ）の線である。なお、縦軸が示す露点温度は飽和圧力と対応関係にあるため、冷媒蒸気Ｖｅ、Ｖｇが飽和蒸気である本実施の形態のヒートポンプサイクルでは、縦軸は主要構成部材１０、２０、３０、４０の内部圧力を表していると見ることもできる。
【００２５】
まず、冷媒側のサイクルを説明する。凝縮器４０では、再生器３０で蒸発した再生器冷媒蒸気Ｖｇを受け入れて、冷却水管４１を流れる冷却水ｃで冷却して凝縮し、冷媒液Ｖｆとする（ｖ１）。凝縮した冷媒液Ｖｆは、冷媒ポンプ４６で蒸発器２０の冷媒液散布ノズル２２に送られる。冷媒液散布ノズル２２に送られた冷媒液Ｖｆは、熱源管２１に向けて散布され、熱源管２１内を流れる熱源温水ｈ２によって加熱され、蒸発して蒸発器冷媒蒸気Ｖｅとなる（ｖ２）。蒸発器２０で発生した蒸発器冷媒蒸気Ｖｅは、蒸発器２０と連通する吸収器１０へと移動する。
【００２６】
次に溶液側のサイクルを説明する。吸収器１０では、濃溶液Ｓａが濃溶液散布ノズル１３から散布され、この散布された濃溶液Ｓａが蒸発器２０から移動してきた蒸発器冷媒蒸気Ｖｅを吸収する。蒸発器冷媒蒸気Ｖｅを吸収した濃溶液Ｓａは、濃度が低下して希溶液Ｓｗとなる（ｊ〜ｋ）。吸収器１０では、濃溶液Ｓａが蒸発器冷媒蒸気Ｖｅを吸収する際に吸収熱が発生する。この吸収熱により、チューブ１２を流れる被加熱媒体Ｗが加熱される。ここで、溶液側のサイクルの説明から一旦離れて、被加熱媒体蒸気Ｗｖを取り出すための気液分離器８０まわりの作用について説明する。
【００２７】
気液分離器８０の下部には被加熱媒体液Ｗｑが貯留されている。気液分離器８０の下部に貯留されている被加熱媒体液Ｗｑは、被加熱媒体ポンプ８３で吸収器１０のチューブ１２に送られる。チューブ１２に送られる被加熱媒体液Ｗｑには、補給水Ｗｓが系外から補給水ポンプ８６で圧送されて補給水管８５を介して適宜混合される。チューブ１２に送られた被加熱媒体液Ｗｑは、吸収器１０における上述の吸収熱により加熱される。チューブ１２で加熱された被加熱媒体液Ｗｑは、一部が蒸発して被加熱媒体蒸気Ｗｖとなった混合被加熱媒体Ｗｍとして、あるいは温度が上昇した被加熱媒体液Ｗｑとして、気液分離器８０に向けて加熱後被加熱媒体管８４を流れる。加熱後被加熱媒体管８４を、温度が上昇した被加熱媒体液Ｗｑが流れる場合、被加熱媒体液Ｗｑは、気液分離器８０に導入される際に減圧され、一部が蒸発して被加熱媒体蒸気Ｗｖとなった混合被加熱媒体Ｗｍとして気液分離器８０に導入される。気液分離器８０に導入された混合被加熱媒体Ｗｍは、被加熱媒体液Ｗｑと被加熱媒体蒸気Ｗｖとが分離される。分離された被加熱媒体液Ｗｑは、気液分離器８０の下部に貯留され、再び吸収器１０のチューブ１２に送られる。他方、分離された被加熱媒体蒸気Ｗｖは、被加熱媒体蒸気供給管８９に導出され、蒸気ヘッダ９１を介してユースポイントに供給される。なお、蒸気アシスト管６１のアシスト遮断弁６１ｖは、定常時は閉となっており熱源管２１に外部蒸気Ｆが供給されないようになっている。
【００２８】
再び吸収ヒートポンプ１の溶液側のサイクルの説明に戻る。吸収器１０で蒸発器冷媒蒸気Ｖｅを吸収した濃溶液Ｓａは、濃度が低下して希溶液Ｓｗとなり、吸収器１０の下部に貯留される。貯留された希溶液Ｓｗは、重力及び吸収器１０と再生器３０との内圧の差により再生器３０に向かって希溶液管３６を流れ、溶液熱交換器３８で濃溶液Ｓａと熱交換して温度が低下して（ｋ〜ｍ）、再生器３０に至る。希溶液Ｓｗは、溶液熱交換器３８を出て再生器３０に入る際に圧力（露点温度）が下がり、希溶液Ｓｗ中の冷媒Ｖの一部が蒸発するのに伴い温度が低下する（ｍ〜ｎ）。
【００２９】
再生器３０に送られた希溶液Ｓｗは、希溶液散布ノズル３２から散布され、熱源管３１を流れる熱源温水ｈ１（本実施の形態では蒸発器２０から導出された熱源温水ｈ２が熱源温水連絡管５１を介して熱源管３１に導入される）によって加熱され、散布された希溶液Ｓｗ中の冷媒が蒸発して濃溶液Ｓａとなり（ｎ〜ｐ）、再生器３０の下部に貯留される。他方、希溶液Ｓｗから蒸発した冷媒Ｖは再生器冷媒蒸気Ｖｇとして凝縮器４０へと移動する。再生器３０の下部に貯留された濃溶液Ｓａは、溶液ポンプ３５ｐにより、濃溶液管３５を介して吸収器１０の濃溶液散布ノズル１３に圧送される。濃溶液管３５を流れる濃溶液Ｓａは、溶液熱交換器３８で希溶液Ｓｗと熱交換して温度が上昇してから吸収器１０に流入し（ｐ〜ｑ）、濃溶液散布ノズル１３から散布される。濃溶液Ｓａは、溶液ポンプ３５ｐで昇圧されて吸収器１０に入り、吸収器１０内で蒸発器冷媒蒸気Ｖｅを吸収することに伴い温度が上昇する（ｑ〜ｊ）。吸収器１０に戻った濃溶液Ｓａは蒸発器冷媒蒸気Ｖｅを吸収し、以降、同様のサイクルを繰り返す。なお、図２に示すデューリング線図は、吸収ヒートポンプ１の定常運転時のサイクルを示しており、吸収ヒートポンプ１の停止時は吸収溶液Ｓの結晶防止のため吸収溶液Ｓは希釈されている。
【００３０】
上記のような吸収溶液Ｓ及び冷媒Ｖのサイクルを行う吸収ヒートポンプ１は、熱源温水ｈ２として、各種工場等のプロセスから排出される熱のうち比較的環境温度に近い低温（例えば８０℃程度）の熱として排出される排温水が利用可能である。つまり、吸収ヒートポンプ１は、熱源として低質な排温水から利用価値の高い高温の蒸気を発生させることができる第２種吸収ヒートポンプとして構成されている。吸収ヒートポンプ１は、熱源温水ｈ（ｈ１、ｈ２）を熱源として、上述の吸収ヒートポンプサイクルが駆動する熱駆動サイクルであるため、起動時や負荷変動時には応答に時間遅れが生じる。特に熱源温水ｈ（ｈ１、ｈ２）として各種工場等のプロセスから排出される排温水を用いる場合は、排温水が保有する熱量ひいては排温水の温度が変動しうるため、応答に時間がかかる傾向にある。
【００３１】
そこで、吸収ヒートポンプ１は、起動時や負荷変動時等の熱源温水ｈ２の保有熱量が、適切な吸収ヒートポンプサイクルの作動に対して不足するときに、アシスト遮断弁６１ｖを開にして外部蒸気Ｆを熱源温水ｈ２に混合させる。すると、熱源温水ｈ２のエンタルピが増大し、吸収ヒートポンプ１の応答を早めることができる。制御装置５０は、吸収ヒートポンプ１を起動する信号を外部から受信すると、アシスト遮断弁６１ｖを開にして熱源管２１に外部蒸気Ｆを供給し、定常運転へ円滑に移行可能な程度の濃度の差が吸収ヒートポンプサイクルにおける吸収溶液Ｓに認められることを冷媒Ｖの蒸気の圧力の上昇や溶液Ｓの温度の上昇等により検出したら、アシスト遮断弁６１ｖを閉にする。定常運転を行っている際、制御装置５０は、温度センサ５８から随時温度信号を受信し、温度センサ５８が検出した温度が、適切な吸収ヒートポンプサイクルの作動を行うことができる熱源温水ｈ２の保有熱量に相当する所定の温度よりも低くなったときに、アシスト遮断弁６１ｖを開にして熱源管２１に外部蒸気Ｆを供給し、所定の温度以上になったときにアシスト遮断弁６１ｖを閉にする。なお、典型的には、蒸気ヘッダ９１に供給される蒸気は、吸収ヒートポンプ１及び外部ボイラ９３の台数制御により生成され、吸収ヒートポンプ１が起動される際には外部ボイラ９３において蒸気の生成が行われている。
【００３２】
以上の説明では、蒸気アシスト管６１を熱源管２１に接続して外部蒸気Ｆを熱源温水ｈ２に混合させることとしたが、熱源管２１に導入される熱源温水ｈ２と蒸気アシスト管６１を流れる外部蒸気Ｆとで熱交換を行わせる熱交換器を設け、外部蒸気Ｆとの熱交換により熱源温水ｈ２のエンタルピを増大させて温度を上昇させることとしてもよい。また、エンタルピを増大させる流体は、熱源温水ｈ２以外の以下に説明する流体としてもよい。
【００３３】
図３は、本発明の第１の実施の形態の変形例に係る吸収ヒートポンプ１Ａの模式的系統図である。吸収ヒートポンプ１Ａの、吸収ヒートポンプ１（図１参照）と異なる点は、吸収ヒートポンプ１（図１参照）が備えていた蒸気アシスト管６１（図１参照）に代えて、外部蒸気取出管６２及び外部蒸気管６５が蒸気ヘッダ９１に接続されている点、さらに外部蒸気導入管６３、外部蒸気管６４、溶液加熱熱交換器６６、冷媒加熱熱交換器６８を備えている点である。外部蒸気導入管６３は、外部蒸気取出管６２を流れてきた外部蒸気Ｆを被加熱媒体液管８２に導入する部材である。外部蒸気導入管６３には、外部蒸気Ｆの流通を遮断する蒸気遮断弁６３ｖが挿入配置されている。外部蒸気管６４は、溶液加熱熱交換器６６に対して流入出する外部蒸気Ｆを流す部材である。溶液加熱熱交換器６６は、吸収器１０に導入される濃溶液Ｓａと外部蒸気Ｆとの間で熱交換器を行わせる機器であり、溶液熱交換器３８よりも下流側の濃溶液管３５と外部蒸気管６４とに挿入配置されている。外部蒸気管６４には、外部蒸気Ｆの流通を遮断する蒸気遮断弁６４ｖが挿入配置されている。外部蒸気管６５は、冷媒加熱熱交換器６８に対して流入出する外部蒸気Ｆを流す部材である。冷媒加熱熱交換器６８は、蒸発器２０に導入される冷媒液Ｖｆと外部蒸気Ｆとの間で熱交換器を行わせる機器であり、冷媒熱交換器４８よりも下流側の冷媒液管４５と外部蒸気管６５とに挿入配置されている。外部蒸気管６５には、外部蒸気Ｆの流通を遮断する蒸気遮断弁６５ｖが挿入配置されている。吸収ヒートポンプ１Ａの、上記以外の構成並びに吸収溶液Ｓ及び冷媒Ｖのサイクル（ヒートポンプサイクル）は、吸収ヒートポンプ１（図１参照）と同様である。
【００３４】
上述のように構成された吸収ヒートポンプ１Ａは、定常時は、蒸気遮断弁６３ｖ、６４ｖ、６５ｖがそれぞれ閉となり、被加熱媒体液管８２、溶液加熱熱交換器６６、冷媒加熱熱交換器６８のそれぞれに外部蒸気Ｆが供給されないようになっている。他方、起動時や負荷変動時には、適時、蒸気遮断弁６３ｖ、６４ｖ、６５ｖの１つ以上を開にする。蒸気遮断弁６３ｖを開にした場合は、蒸気ヘッダ９１内の外部蒸気Ｆが、外部蒸気取出管６２を介して外部蒸気導入管６３を流れ、被加熱媒体液管８２に流入する。被加熱媒体液管８２に流入した外部蒸気Ｆは被加熱媒体液Ｗｑと混合し、被加熱媒体液Ｗｑの温度及びエンタルピを増大させる。ここで、温度及びエンタルピが増大した被加熱媒体液Ｗｑが吸収器１０内の吸収溶液Ｓよりも温度が高い場合は、被加熱媒体液Ｗｑがチューブ１２を流れることで、吸収器１０内の吸収溶液Ｓのエンタルピを増大させると共に温度を上昇させることができ、吸収ヒートポンプ１Ａの応答を早めることができる。
【００３５】
また、蒸気遮断弁６４ｖを開にした場合は、蒸気ヘッダ９１内の外部蒸気Ｆが、外部蒸気取出管６２を介して外部蒸気管６４を流れ、溶液加熱熱交換器６６に流入する。溶液加熱熱交換器６６に流入した外部蒸気Ｆは、濃溶液管３５を流れる濃溶液Ｓａと熱交換して濃溶液Ｓａのエンタルピを増大させると共に温度を上昇させ、これにより吸収ヒートポンプ１Ａの応答を早めることができる。また、蒸気遮断弁６５ｖを開にした場合は、蒸気ヘッダ９１内の外部蒸気Ｆが、外部蒸気管６５を流れて冷媒加熱熱交換器６８に流入する。冷媒加熱熱交換器６８に流入した外部蒸気Ｆは、冷媒液管４５を流れる冷媒液Ｖｆと熱交換して冷媒液Ｖｆのエンタルピを増大させると共に温度を上昇させ、これにより吸収ヒートポンプ１Ａの応答を早めることができる。
【００３６】
以上から分かるように、外部蒸気取出管６２、外部蒸気導入管６３、外部蒸気管６４、外部蒸気管６５、溶液加熱熱交換器６６、冷媒加熱熱交換器６８は、エンタルピ増大手段を構成する。なお、蒸気遮断弁６３ｖ、６４ｖ、６５ｖの開閉制御は、典型的には吸収ヒートポンプ１Ａの運転を制御する制御装置５０により行われる。本実施の形態では、外部蒸気導入管６３を被加熱媒体液管８２に接続して外部蒸気Ｆを被加熱媒体液Ｗｑに混合させることとしたが、チューブ１２に導入される被加熱媒体液Ｗｑと外部蒸気Ｆとで熱交換を行わせる熱交換器を設け、外部蒸気Ｆとの熱交換により被加熱媒体液Ｗｑのエンタルピを増大させて温度を上昇させることとしてもよい。また、吸収ヒートポンプ１Ａが備えるエンタルピ増大手段６２、６３、６４、６５、６６、６８を吸収ヒートポンプ１（図１参照）に重畳的に適用して、複数のエンタルピ増大手段から適切なものを適宜選択して作動させてもよい。また、吸収ヒートポンプ１Ａは、説明の便宜上、複数のエンタルピ増大手段６２、６３、６４、６５、６６、６８を備えることとしたが、状況により、エンタルピを増大させたい流体にかかわらない構成については適宜省略してもよい。
【００３７】
次に図４を参照して、本発明の第２の実施の形態に係る吸収ヒートポンプ２を説明する。図４は、吸収ヒートポンプ２の模式的系統図である。吸収ヒートポンプ２の、吸収ヒートポンプ１（図１参照）と異なる点は、吸収ヒートポンプ１（図１参照）が備えていた蒸気アシスト管６１（図１参照）に代えて、蒸気ヘッダ９１の外部蒸気Ｆを被加熱媒体液管８２に導く蒸気媒体管７１が設けられている点、さらに吸収器１０の気相部と凝縮器４０とを連通する連通管７２を備えている点である。蒸気媒体管７１は、蒸気ヘッダ９１と被加熱媒体液管８２とに接続されている。蒸気媒体管７１には、外部蒸気Ｆの流通を遮断する媒体遮断弁７１ｖが挿入配置されている。連通管７２は、吸収器１０側ではチューブ１２の上端と濃溶液散布ノズル１３との間の高さで吸収器１０に接続されていることが好ましく、凝縮器４０側では冷却水管４１の上端よりも上方で凝縮器４０に接続されていることが好ましい。連通管７２には、流路を遮断可能な連通遮断弁７２ｖが挿入配置されている。また、被加熱媒体蒸気管８９には、被加熱媒体蒸気Ｗｖの流通を遮断する被加熱媒体蒸気遮断弁８９ｖが挿入配置されている。各弁７１ｖ、７２ｖ、８９ｖの開閉制御は、典型的には吸収ヒートポンプ２の運転を制御する制御装置５０により行われる。
【００３８】
上述のように構成された吸収ヒートポンプ２は、起動時に媒体遮断弁７１ｖを開にし、被加熱媒体蒸気遮断弁８９ｖを閉にして、蒸気ヘッダ９１の外部蒸気Ｆを被加熱媒体液管８２に導入する。これにより、被加熱媒体液管８２からチューブ１２に流れる被加熱媒体Ｗを、吸収器１０内の吸収溶液Ｓに含まれる冷媒Ｖの飽和温度を超える温度に加熱する。他方、濃溶液散布ノズル１３からは吸収溶液Ｓを散布する。なお、起動直後に濃溶液散布ノズル１３から散布されるのは、濃溶液Ｓａよりも濃度が低い、前回の停止時に希釈された吸収溶液Ｓとなっている。このとき、外部蒸気Ｆによって加熱された被加熱媒体Ｗがチューブ１２を流れると、濃溶液散布ノズル１３から散布された吸収溶液Ｓがチューブ１２内の被加熱媒体Ｗによって加熱され、吸収溶液Ｓ内に含まれる冷媒Ｖが蒸発し、吸収溶液Ｓの濃度が上昇する。このように、起動時に吸収器１０を再生器的に利用することにより、吸収器１０で吸収溶液Ｓを濃縮することができ、吸収溶液Ｓを定常運転時の濃度分布にするのが早まるため、起動から定常運転の状態に至るまでの時間を短縮することができる。濃溶液散布ノズル１３から散布された吸収溶液Ｓから蒸発した冷媒Ｖは、連通管７２を介して凝縮器４０に導かれる。吸収ヒートポンプ２では、蒸気媒体管７１を流れた外部蒸気Ｆを被加熱媒体Ｗに混合させ、温度及び熱量が上昇した被加熱媒体Ｗをチューブ１２に流すことで、吸収器１０内の吸収溶液Ｓに外部蒸気Ｆの熱を間接的に与えている。つまり、蒸気媒体管７１は、吸収溶液受熱手段を構成する。
【００３９】
以上の吸収ヒートポンプ２の説明では、蒸気媒体管７１を被加熱媒体液管８２に接続して外部蒸気Ｆを被加熱媒体Ｗに混合させることとしたが、被加熱媒体液管８２を流れる被加熱媒体Ｗと蒸気媒体管７１を流れる外部蒸気Ｆとで熱交換を行わせる熱交換器を設け、外部蒸気Ｆとの熱交換により被加熱媒体Ｗのエンタルピ及び温度を上昇させ、次いで吸収器１０内の吸収溶液Ｓのエンタルピ及び温度を上昇させることとしてもよい。また、以上の吸収ヒートポンプ２の説明では、連通管７２を設け、吸収器１０で吸収溶液Ｓから蒸発した冷媒Ｖを連通管７２を介して凝縮器４０に導くこととしたが、以下のように構成してもよい。
【００４０】
図５は、本発明の第２の実施の形態の変形例に係る吸収ヒートポンプ２Ａの模式的系統図である。吸収ヒートポンプ２Ａの、吸収ヒートポンプ２（図４参照）と異なる点は、吸収ヒートポンプ２（図４参照）が備えていた蒸気媒体管７１（図４参照）を省略した点、及び吸収ヒートポンプ２（図４参照）が備えていた連通管７２（図４参照）に代えて、凝縮器４０に供給される冷却水ｃの一部を蒸発器２０の熱源管２１に供給できる構成とした点である。以下にかかる相違点を説明する。凝縮器４０内の冷却水管４１に冷却水ｃを導入する冷却水導入管４１ａに、冷却水管４１に導入する冷却水ｃの流量を調整する流量調整弁４１ｖが挿入配置されている。流量調整弁４１ｖよりも上流側の冷却水導入管４１ａに、冷却水ｃの一部を分岐する冷却水分岐管５４の一端が接続されている。冷却水分岐管５４の他端は、熱源温水連絡管５１に接続されている。冷却水分岐管５４には、冷却水ｃの流れを遮断する分岐遮断弁５４ｖが挿入配置されている。冷却水分岐管５４との接続部よりも再生器３０側の熱源温水連絡管５１には、流路を遮断する連絡遮断弁５１ｖが挿入配置されている。
【００４１】
また、蒸発器２０内の熱源管２１に熱源温水ｈを導入する熱源導入管２１ａに、熱源温水ｈの流通を遮断する熱源流体遮断弁としての熱源遮断弁２１ｖが挿入配置されている。熱源遮断弁２１ｖよりも熱源温水ｈの流れ方向上流側の熱源導入管２１ａには、熱源温水ｈを蒸発器２０をバイパスして熱源温水連絡管５１に導く熱源バイパス管５２の一端が接続されている。熱源バイパス管５２の他端は、連絡遮断弁５１ｖよりも下流側の熱源温水連絡管５１に接続されている。熱源バイパス管５２には、流路を遮断する熱源バイパス遮断弁５２ｖが挿入配置されている。熱源遮断弁２１ｖよりも熱源温水ｈの流れ方向下流側の熱源導入管２１ａには、冷却水合流管５５の一端が接続されている。冷却水合流管５５の他端は、凝縮器４０内の冷却水管４１から導出された冷却水ｃを流す冷却水導出管４１ｂに接続されている。冷却水合流管５５は、熱源管２１に冷却水ｃが流れた場合に、その熱源管２１を流れた冷却水ｃを冷却水導出管４１ｂに還す部材である。冷却水合流管５５には、流路を遮断する合流遮断弁５５ｖが挿入配置されている。なお、定常運転時に被加熱媒体Ｗが蒸発することに伴う被加熱媒体Ｗの濃縮度を制限する観点から、適時に被加熱媒体液Ｗｑの一部をブローするブロー管８８が被加熱媒体液管８２に接続されている。ブロー管８８は、典型的には前述の説明では省略した図１、３、４に示す吸収ヒートポンプ１、１Ａ、２にも同様に設けられている。吸収ヒートポンプ２Ａの、上記以外の構成並びに吸収溶液Ｓ及び冷媒Ｖのサイクル（ヒートポンプサイクル）は、吸収ヒートポンプ２（図４参照）と同様である。
【００４２】
上述のように構成された吸収ヒートポンプ２Ａは、起動時に、被加熱媒体蒸気遮断弁８９ｖを開にする。すると、起動時は、被加熱媒体Ｗの系統（気液分離器８０、被加熱媒体液管８２、加熱後被加熱媒体管８４）の圧力が上昇していないため、外部蒸気Ｆが、蒸気ヘッダ９１から被加熱媒体蒸気管８９を介して気液分離器８０内に流入し、さらに加熱後被加熱媒体管８４を介してチューブ１２に流入する。このとき、チューブ１２に流入する外部蒸気Ｆは、吸収器１０内の吸収溶液Ｓに含まれる冷媒Ｖの飽和温度を超える温度になっている。他方、濃溶液散布ノズル１３からは吸収溶液Ｓ（前回の停止時に希釈されたもので濃溶液Ｓａよりも濃度が低い）を散布する。このとき、外部蒸気Ｆがチューブ１２を流れていると、濃溶液散布ノズル１３から散布された吸収溶液Ｓがチューブ１２内の外部蒸気Ｆによって加熱されてエンタルピが増大し、吸収溶液Ｓ内に含まれる冷媒Ｖが蒸発して、吸収溶液Ｓの濃度が上昇する（吸収器１０の再生器的利用）。吸収溶液Ｓに熱を与えたことによって自身は熱を奪われた外部蒸気Ｆは、凝縮し、次にチューブ１２に流入してくる外部蒸気Ｆの圧力で被加熱媒体液管８２を介してブロー管８８に導かれ、系外に排出される。このように、吸収ヒートポンプ２Ａでは、被加熱媒体蒸気遮断弁８９ｖを開けることにより、被加熱媒体蒸気管８９及び加熱後被加熱媒体管８４を介して外部蒸気Ｆをチューブ１２に流すことで、吸収器１０内の吸収溶液Ｓに外部蒸気Ｆの熱を与えている。つまり、被加熱媒体蒸気管８９及び加熱後被加熱媒体管８４は、吸収溶液受熱手段を構成する。なお、吸収ヒートポンプ２Ａにおける吸収溶液受熱手段を吸収ヒートポンプ２（図４参照）と同様に蒸気媒体管７１（図４参照）で構成してもよく、逆に吸収ヒートポンプ２（図４参照）における吸収溶液受熱手段を吸収ヒートポンプ２Ａと同様に被加熱媒体蒸気管８９及び加熱後被加熱媒体管８４で構成してもよい。
【００４３】
そして、上記のように吸収溶液Ｓのエンタルピを増大させたときに、熱源遮断弁２１ｖ及び連絡遮断弁５１ｖを閉にし、熱源バイパス遮断弁５２ｖ、分岐遮断弁５４ｖ、合流遮断弁５５ｖを開にして、冷却水管４１及び熱源管２１に冷却水ｃが並行して流れるように流量調整弁４１ｖの開度を調節する。濃溶液散布ノズル１３から散布された吸収溶液Ｓから蒸発した冷媒Ｖは、蒸発器２０に移動して、熱源管２１を流れる冷却水ｃにより冷却されて凝縮する。このように、吸収ヒートポンプ２Ａでは、起動時に蒸発器２０を凝縮器的に利用する構成となっている。吸収ヒートポンプ２Ａでは、起動時に、吸収器１０を再生器的に利用しつつ蒸発器２０を凝縮器的に利用することで、吸収溶液Ｓを定常運転時の濃度分布にするのが早まるため、起動から定常運転の状態に至るまでの時間を短縮することができる。なお、定常運転時には、熱源遮断弁２１ｖ及び連絡遮断弁５１ｖを開に、熱源バイパス遮断弁５２ｖ、分岐遮断弁５４ｖ、合流遮断弁５５ｖを閉にし、流量調整弁４１ｖを全開にすることで、冷却水ｃを冷却水管４１に流し、熱源温水ｈを熱源管２１、熱源温水連絡管５１、熱源管３１の順に流すこととしている。なお、各弁の開閉制御は、典型的には吸収ヒートポンプ２Ａの運転を制御する制御装置５０により行われる。
【００４４】
以上の説明では、便宜上、図示と併せて単段昇温型の吸収ヒートポンプを例にしたが、多段昇温型の吸収ヒートポンプにも適用できる。また、気液分離器８０から導出される被加熱媒体蒸気Ｗｖと、外部ボイラ９３から導出される蒸気とが同じ蒸気ヘッダ９１に導入することとしたが、異なるヘッダに導入することとしてもよい。
【符号の説明】
【００４５】
１、１Ａ、２、２Ａ  吸収ヒートポンプ
１０  吸収器
１２  チューブ
２０  蒸発器
２１  熱源管
３０  再生器
３１  熱源管
３５  濃溶液管
４０  凝縮器
４５  冷媒液管
６１  蒸気アシスト管
７１  蒸気媒体管
７２  連通管
７２ｖ  連通遮断弁
Ｆ    外部蒸気
ｈ１  熱源温水
ｈ２  熱源温水
Ｓ    吸収溶液
Ｓａ  濃溶液
Ｓｗ  希溶液
Ｖｅ  蒸発器冷媒蒸気
Ｖｇ  再生器冷媒蒸気
Ｖｆ  冷媒液
Ｗ    被加熱媒体
【図１】
2010255904.tif 000003
【図２】
2010255904.tif 000004
【図３】
2010255904.tif 000005
【図４】
2010255904.tif 000006
【図５】
2010255904.tif 000007